【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】
カラー画像を表現する三原色値を入力する工程と、
入力された値に基づいて閾値２値化範囲を計算する工程と、
前記閾値２値化範囲に基づいて、入力された値を２進値に２値化する工程と、
画像中の色領域を識別する工程と、
識別された前記色領域を取り囲むフレームを定義する工程と、
前記色領域に対応する入力三原色値に基づいて、第２の閾値２値化範囲を計算する工程と、
前記第２の閾値２値化範囲に基づいて、前記色領域に対応する入力三原色値を２値化する工程と、
を含むカラー画像の特徴を識別する方法。
【請求項２】
前記閾値２値化範囲に対応する入力三原色値に基づいて、画像の背景色を計算する工程と、
前記色領域に対応する三原色値に基づいて、前記色領域の背景色を計算する工程と、を更に含む請求項１に記載のカラー画像の特徴を識別する方法。
【請求項３】
前記画像の背景色と、前記色領域の背景色と、前記フレームの場所とを格納する工程を更に含む請求項２に記載のカラー画像の特徴を識別する方法。
【請求項４】
前記フレームがカラー画像の一要素ではないことを指示するためのフラグを格納する工程を更に含む請求項３に記載のカラー画像の特徴を識別する方法。
【請求項５】
カラー画像の特徴を識別するシステムへ格納情報を送信する工程を更に含む請求項３に記載のカラー画像の特徴を識別する方法。
【請求項６】
カラー画像に対応する画素値を入力する工程と、
入力された前記画素値に基づいて、前記画素値のコア範囲を判定する工程と、
前記画素値のコア範囲内に入る画素値の数を計算する工程と、
前記画素値のコア範囲の外側層の中に入る画素値の数を計算する工程と、
閾値２値化範囲を定義する工程と、を含み、
前記画素値のコア範囲の当該外側層の中に入る画素値の数が局所最小値である場合、前記閾値２値化範囲を当該外側層及び当該外側層により包囲されている領域として定義することを特徴とするカラー画素値を２値化する方法。
【請求項７】
前記閾値２値化範囲内に入っている入力画素値の平均値に基づいて、カラー画像の背景色を計算する工程を更に含む請求項６に記載のカラー画素値を２値化する方法。
【請求項８】
二次閾値２値化範囲を定義する工程と、
前記閾値２値化範囲と前記二次閾値２値化範囲との距離が所定の値より大きい場合、前記閾値２値化範囲を拡張する工程と、を更に含む請求項６に記載のカラー画素値を２値化する方法。
【請求項９】
前記二次閾値２値化範囲内に入っている入力画素値の平均値に基づいて、カラー画像の前景色を計算する工程を更に含む請求項６に記載のカラー画素値を２値化する方法。
【請求項１０】
カラー画像の特徴を識別するためにコンピュータ実行可能なプロセスステップを格納するコンピュータ読み取り可能な媒体において、
前記プロセスステップが、
カラー画像を表現する三原色値を受信する受信工程と、
受信された値に基づいて、閾値２値化範囲を計算する計算工程と、
前記閾値２値化範囲に基づいて、受信された値を２進値に２値化する２値化工程と、
画像中の色領域を識別する識別工程と、
識別された前記色領域を取り囲むフレームを定義する定義工程と、
前記色領域に対応する受信三原色値に基づいて、二次閾値２値化範囲を計算する計算工程と、
前記二次閾値２値化範囲に基づいて、前記色領域に対応する受信三原色値を２値化する２値化工程と、
を含むコンピュータ読み取り可能な媒体。
【請求項１１】
前記プロセスステップは、
前記閾値２値化範囲に対応する受信三原色値に基づいて、画像の背景色を計算する計算工程と、
前記色領域に対応する受信三原色値に基づいて、前記色領域の背景色を計算する計算工程と、を更に含む請求項１０に記載のコンピュータ読み取り可能な媒体。
【請求項１２】
前記プロセスステップは、
前記画像の背景色と、前記色領域の背景色と、前記フレームの場所とを格納する格納工程を更に含む請求項１１に記載のコンピュータ読み取り可能な媒体。
【請求項１３】  前記プロセスステップは、
前記フレームがカラー画像の一要素ではないことを指示するためのフラグを格納する格納工程を更に含む請求項１２に記載のコンピュータ読み取り可能な媒体。
【請求項１４】
前記プロセスステップは、
カラー画像の特徴を識別するシステムへ格納情報を送信する送信工程を更に含む請求項１２に記載のコンピュータ読み取り可能な媒体。
【請求項１５】
カラー画素値を２値化するためのコンピュータ実行可能なプロセスステップを格納するコンピュータ読み取り可能な媒体において、
前記プロセスステップは、
カラー画像に対応する画素値を受信する受信工程と、
受信された前記画素値に基づいて、前記画素値のコア範囲を判定する判定工程と、
前記画素値のコア範囲内に入る受信された画素値の数を計算する計算工程と、
前記画素値のコア範囲の外側層の中に入る受信された画素値の数を計算する計算工程と、
閾値２値化範囲を定義する定義工程と、を含み、
前記画素値のコア範囲の当該外側層の中に入る受信された画素値の数が局所最小値である場合、前記閾値２値化範囲を当該外側層及び当該外側層により包囲されている領域として定義することを特徴とするコンピュータ読み取り可能な媒体。
【手続補正２】
【補正対象書類名】明細書
【補正対象項目名】００１０
【補正方法】変更
【補正の内容】
【００１０】
【課題を解決するための手段】
本発明によれば、カラー画像を表現する三原色値を入力する工程と、入力された値に基づいて閾値２値化範囲を計算する工程と、前記閾値２値化範囲に基づいて、入力された値を２進値に２値化する工程と、画像中の色領域を識別する工程と、識別された前記色領域を取り囲むフレームを定義する工程と、前記色領域に対応する入力三原色値に基づいて、第２の閾値２値化範囲を計算する工程と、前記第２の閾値２値化範囲に基づいて、前記色領域に対応する入力三原色値を２値化する工程と、を含むカラー画像の特徴を識別する方法が提供される。
【手続補正３】
【補正対象書類名】明細書
【補正対象項目名】００１１
【補正方法】変更
【補正の内容】
【００１１】
また、本発明によれば、カラー画像に対応する画素値を入力する工程と、入力された前記画素値に基づいて、前記画素値のコア範囲を判定する工程と、前記画素値のコア範囲内に入る画素値の数を計算する工程と、前記画素値のコア範囲の外側層の中に入る画素値の数を計算する工程と、閾値２値化範囲を定義する工程と、を含み、前記画素値のコア範囲の当該外側層の中に入る画素値の数が局所最小値である場合、前記閾値２値化範囲を当該外側層及び当該外側層により包囲されている領域として定義することを特徴とするカラー画素値を２値化する方法が提供される。
【手続補正４】
【補正対象書類名】明細書
【補正対象項目名】００１２
【補正方法】変更
【補正の内容】
【００１２】
また、本発明によれば、カラー画像の特徴を識別するためにコンピュータ実行可能なプロセスステップを格納するコンピュータ読み取り可能な媒体において、前記プロセスステップが、カラー画像を表現する三原色値を受信する受信工程と、受信された値に基づいて、閾値２値化範囲を計算する計算工程と、前記閾値２値化範囲に基づいて、受信された値を２進値に２値化する２値化工程と、画像中の色領域を識別する識別工程と、識別された前記色領域を取り囲むフレームを定義する定義工程と、前記色領域に対応する受信三原色値に基づいて、二次閾値２値化範囲を計算する計算工程と、前記二次閾値２値化範囲に基づいて、前記色領域に対応する受信三原色値を２値化する２値化工程と、を含むコンピュータ読み取り可能な媒体が提供される。
【手続補正５】
【補正対象書類名】明細書
【補正対象項目名】００１３
【補正方法】変更
【補正の内容】
【００１３】
また、本発明によれば、カラー画素値を２値化するためのコンピュータ実行可能なプロセスステップを格納するコンピュータ読み取り可能な媒体において、前記プロセスステップは、カラー画像に対応する画素値を受信する受信工程と、受信された前記画素値に基づいて、前記画素値のコア範囲を判定する判定工程と、前記画素値のコア範囲内に入る受信された画素値の数を計算する計算工程と、前記画素値のコア範囲の外側層の中に入る受信された画素値の数を計算する計算工程と、閾値２値化範囲を定義する定義工程と、を含み、前記画素値のコア範囲の当該外側層の中に入る受信された画素値の数が局所最小値である場合、前記閾値２値化範囲を当該外側層及び当該外側層により包囲されている領域として定義することを特徴とするコンピュータ読み取り可能な媒体が提供される。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】